Podtech/llm-jp-corpus-v4-ja_patent huggingface dataset:
(57)【要約】【課題】  本考案は頭部脱毛者の為に、着脱容易で通気性がよく装着時の違和感も少なく、自由な髪形が作れるすぐれた脱毛者用ヘアバンド付かつらを提供するものである。【解決手段】  布付人工毛を接合して作製したかつら本体に、直接ヘアバンドを取り付けて着脱を容易にし、かつら内面部に、後頭部がうすく見えるのを防ぐため布付人工毛を段切状に接合させたた脱毛者用ヘアバンド付かつら。【選択図】図１
0003131985.tif 000002
【実用新案登録請求の範囲】
【請求項１】
布付人工毛を接合して作製した、かつら本体に直接ヘアバンドを取り付けることで、着脱を容易にした脱毛者用ヘアバンド付かつら。
【請求項２】
かつら内面部に、後頭部がうすく見えるのを防ぐため布付人工毛を段切状に接合させた脱毛者用ヘアバンド付かつら。
【考案の詳細な説明】
【技術分野】
【０００１】  本考案は、抗がん剤治療等で脱毛した人が容易に着脱でき、全頭をカバーできる脱毛者用ヘアバンド付かつらに関するものである。
【背景技術】
【０００２】  今日まで脱毛者の人の中には帽子やバンダナ、ストッパー付の全かつら等を着用して、脱毛した部位をカバーしていた。
【考案の開示】
【考案が解決しようとする課題】
【０００３】  帽子やバンダナ、ストッパー付の全かつら等は、頭部生え際を密閉する為、夏は頭皮が蒸れたり頭部に圧迫感をかんじたり着脱が容易でないもの等が多かった。
本考案は、この課題を解決した脱毛者用ヘアバンド付かつらである。
【課題を解決するための手段】
【０００４】  布付人工毛を接合して作製した、かつら本体に直接ヘアバンドを取り付けることで、着脱を容易にすると共に後頭部がうすく見えるのを防ぐため布付人工毛を段切状に接合させた脱毛者用ヘアバンド付かつら。
【考案の効果】
【０００５】  本考案のかつらは、着脱も容易であり通気性も良い上、髪形を自由に変えられるので一般の方の髪形と同じく見え装着時の違和感も少ない。
【考案実施するための最良の形態】
【０００６】  以下、本考案の実施の形態について説明する。
（イ）かつら本体は、ヘアバンド取り付け部を境にして、布付人工毛を前髪部と後髪部に分け、突き合わせて（図４参考）接合させる。
（ロ）後部側内面部に、増毛する為の布付人工毛を段切り状（図４参考）に接合する。
（ハ）このかつらの固定は、ヘアバンド（１）だけなので、かつらの前後を確認して頭部に被せるだけで、ヘアバンドによる適度な装着感がえられる。
（二）かつら内面に頭頂部より後方に向けて、布付人工毛を（２）取り付けてあるので、下向き時などに地肌がすけてみえる現象を防ぐことができる。
（ホ）この布地は肌さわりがよく通気性も良い為、装着時の不快感が少なく蒸れもおきない。
（ヘ）この人工毛は、カットは勿論のことパーマや毛染めもできるので、好みの自由な髪形を作ることが出来る。
【図面の簡単な説明】
【０００７】
【図１】本考案の装着斜視図
【図２】本考案の側面透視図
【図３】本考案の背面透視図
【図４】本考案の展開図
【符号の説明】
【０００８】１はヘアバンド
３は布付人工毛
【図１】
0003131985.tif 000003
【図２】
0003131985.tif 000004
【図３】
0003131985.tif 000005
【図４】
0003131985.tif 000006
(57)【要約】【課題】          かつらの一番の問題点は、かつらの使用が周囲の人に解る点である。自毛がほとんど、或いは全くない場合に使用する極薄の人工膜に人工毛を植えてあるフィルム状のシートを粘着剤で頭皮に完全密着させる貼り付け方法においては、接着面の毛髪を接着の都度剃る必要があり、皮膚呼吸を妨げ、地肌を直接洗うことができず、汗が接着力を弱める問題点がある。【解決手段】      かつらを使用する際に毛の生え際を自然に見せるために、表裏に粘着剤を塗布した極薄の合成樹脂製テープの表面に植毛部分を設け、表面の後半部分にかつらの前面部の縁を貼る。テープに無数の通気穴を穿って頭皮に触れるようにし、皮膚呼吸を維持することもできる。【選択図】図１
0003131989.tif 000002
【実用新案登録請求の範囲】
【請求項１】
かつらを使用する際に毛の生え際を自然に見せるために、表裏に粘着剤を塗布した極薄の合成樹脂製テープの表面に植毛部分を設け、表面の残り部分と裏面に離型紙を貼ったことを特徴とする生え際増毛テープ
【請求項２】
テープに無数の通気穴を穿ったことを特徴とする請求項１に記載の生え際増毛テープ
【考案の詳細な説明】
【技術分野】
【０００１】  本考案は、かつらを装着する際に、毛の生え際の不自然さを解消するための増毛方法に関している。
【背景技術】
【０００２】  増毛のため、かつらを使用する場合、自分の毛髪があれば、金具式や結毛式で留めることができるが、自毛がほとんど、或いは全くない場合は極薄の人工膜に人工毛を植えてあるフィルム状のシートを粘着剤で頭皮に完全に密着させる。この場合、接着面の毛髪は剃って接着する必要がある。また、人工毛を植えた綿状の毛髪束を接着剤で地肌に貼り付ける線毛の技術もあり、取り外しはサロンでおこなわれている。
【考案の開示】
【考案が解決しようとする課題】
【０００３】  自毛がほとんど、或いは全くない場合に使用する極薄の人工膜に人工毛を植えてあるフィルム状のシートを粘着剤で頭皮に完全密着させる貼り付け方法においては、接着面の毛髪を接着の都度剃る必要があるという欠点がる。また、地肌に粘着剤を全面的に塗布することになるから、皮膚呼吸を妨げる欠点がある。入浴時においては、かつらを外すことができないので、地肌を直接洗うことができない欠点がある。汗が接着力を弱めるので、スポーツ時や夏場には剥がれやすい欠点がある。かつらの一番の問題点は、かつらの使用が周囲の人に解る点である。そこで、本考案は、これらの点を改善してかつらの使用に自然さを持たせようとするものである。
【課題を解決するための手段】
【０００４】前頭部の毛の生え際を自然に見せるために、極薄の合成樹脂製テープの表面に植毛部分を設け、表面の残り部分に粘着剤を塗布して離型紙に貼り付ける。植毛する人工毛は長さを不揃いにすることもでき、頭髪の自然な生え方に合わせることができる。或いは、表面全体に粘着剤を塗布し、植毛したテープを合成樹脂製テープの粘着剤に貼り付けて、合成樹脂製テープの表面片側に植毛部分を設けることもできる。
合成樹脂製テープの裏面にも粘着剤を塗布して離型紙を貼る。表面の植毛した部分を前方にして裏面の離型紙を剥がしてテープを頭皮に貼り、表面の後半部の離型紙を剥がしてかつらの端の生え際を増毛テープの表面後半部に貼る。生え際増毛テープはかつらの植毛と一体になり、頭髪の生え際の不自然さを解消することができる。テープに無数の通気穴を穿って頭皮が空気に触れるようにし、皮膚呼吸を維持することもできる。
生え際増毛テープを任意の長さに切って保管し、接着力が弱ったら交換する方法や、長くした生え際増毛テープをロールにして適当な必要の長さに切って使用することもできる。
【考案の効果】
【０００５】  本考案の効果は下記の通りである。
［イ］かつらやウィッグを使用する際に、頭髪の生え際の不自然さを解消できる。
［ロ］生え際増毛テープの交換が容易で、自分で適宜に使用出来、コストが安く済む。
［ハ］風通しが良くなり、頭に汗をかくことが減る。
［ニ］頭を洗うことが容易になり、衛生的でる。何回取り替えても使用量が非常に少ないのでサロンの世話にならず自分で出来る為、コストが安くつく。
［ホ］かつらのデザインが多種多様になり、頭髪のイメージを変えられる。
【考案を実施するための最良の形態】
【０００６】  以下、本考案の実施の形態について説明する。
【実施例１】  本考案の生え際増毛テープは図１に示すように両面粘着テープの表面（２）の前半部に人工毛（４）を増毛し、表面（２）の残りの後半分（２’）に粘着剤（５）を塗布しその上に離型紙（６）を貼っている。図２に示すように裏面（３）にも粘着剤（５）を塗布しその上に離型紙（６）を貼っている。請求項２に記載の生え際増毛テープは、図３に示すように、通気穴（７）を生え際増毛テープに無数に設けておくと皮膚呼吸を助け、発汗を減少させる。【０００７】  図４は横に断面した状態を示している。極薄の合成樹脂製フィルム（１）の表面（２）に人工毛（４）を植毛したテープを接着し、表面（２）の残りの部分を裏面（３）に粘着剤（５）を塗布し、その上に離型紙（６）を貼っている。【０００８】  生え際増毛テープの使用方法は、図５に示すように、頭Ａに生え際増毛テープの裏面（３）の離型紙（６）を剥がし、表面（２）の人工口毛（４）を前方にして貼る。次いで、図６に示すように生え際増毛テープの表面（２）の離型紙（６）を剥がして粘着剤（５）にかつらＢの縁を貼る。
【産業上の利用可能性】
【０００９】  本考案になる生え際増毛テープはマネキンや人形の形成にも使用できる。
【図面の簡単な説明】
【００１０】
【図１】生え際増毛テープの表面の斜視図である。
【図２】生え際増毛テープの裏面の斜視図である。
【図３】請求項２に記載の生え際増毛テープを裏面より見た斜視図である。
【図４】生え際増毛テープの断面図である。
【図５】使用例を示す説明図である。
【図６】使用例を示す説明図である。
【符号の説明】
【００１１】    １極薄の合成樹脂製フィルム
２表面
３裏面
４人工毛
５粘着剤
６離型紙
７通気穴
Ａ頭
Ｂかつら
【図１】
0003131989.tif 000003
【図２】
0003131989.tif 000004
【図３】
0003131989.tif 000005
【図４】
0003131989.tif 000006
【図５】
0003131989.tif 000007
【図６】
0003131989.tif 000008
(57)【要約】      （修正有）【課題】１機のスピーカーユニットにより重低音から超低音領域にかけて、周波数帯域に凹凸のない高品位の低音域再生を可能にする。【解決手段】１機のスピーカーユニットの背後の共鳴管を複数に分岐し、それぞれの管の長さを変えることにより共鳴の発生する周波数を連続的に設定することができ、重低音域に不自然な強調感や周波数特性上の凹凸を発生させることなく、重低音域を十分に再生する。【選択図】図１
0003131932.tif 000002
【実用新案登録請求の範囲】
【請求項１】
共鳴管の原理を活用して低域を増強するスピーカーにおいて、１機のスピーカーユニット背面からの音道を複数に分岐し、共鳴周波数を複数設定することにより、重低音域を連続的かつ均質に増強して再生する仕組み。
【考案の詳細な説明】
【技術分野】
【０００１】  本考案は、スピーカーにおける均質なレベルの重低音再生を目指して、共鳴管の原理を活用したエンクロージャーの構造に新たな提案を行うものである。
【背景技術】
【０００２】  スピーカーユニットの背面に発生する音圧を共鳴管で増幅する手法はスーパーウーファーなどで用いられ、１機のユニットで１本の管をドライブしてきたが、このため、特定の周波数帯域が不自然に強調され、低音域の再生レベルに凹凸が際立つ傾向が避けられなかった。
【考案の開示】
【考案が解決しようとする課題】
【０００３】  スピーカーユニットの背後に共鳴管を備え、重低音を再生するシステムでは、１機のユニットで１本の管をドライブしてきたため、特定の周波数帯域で発生する共鳴が不自然な強調感を伴い、低音域の再生に凹凸が際立つなどの問題があった。また、これを解決するために複数のユニットを用いれば、前面から放射する再生音が重複し、音像が不明瞭になるというデメリットが生じることが問題になる。
【課題を解決するための手段】
【０００４】  １機のスピーカーユニットの背後の共鳴管を複数に分岐し、それぞれの管の長さを変えることにより、共鳴の発生する周波数を連続的に設定することができ、重低音域に不自然な強調感や周波数特性上の凹凸を発生させることなく、重低音域を十分に再生することが可能になる。
【考案の効果】
【０００５】  １機のスピーカーユニットにより重低音から超低音と言われる領域にかけて、周波数帯域に凹凸のない高品位の低音域再生が可能になる。また、複数に分岐させた共鳴管からの音圧レベルは従来型よりわずかに低下し、そのことで寧ろ強調感の少ない、自然な水準の重低音再生を実現する。
【図面の簡単な説明】
【０００６】
【図１】本考案を用いた実施例における前面と背面を展開した俯瞰図
【図１】
0003131932.tif 000003
【手続補正書】
【提出日】平成19年2月13日(2007.2.13)
【手続補正１】
【補正対象書類名】実用新案登録請求の範囲
【補正対象項目名】全文
【補正方法】変更
【補正の内容】
【実用新案登録請求の範囲】
【請求項１】
スピーカーユニットの背面からの音圧を、共鳴管の原理を活用して低音域を増強させるに当たり、音道を分岐させて長さの異なる複数の共鳴管を動作させることにより低音域の増幅周波数帯域を連続的に複数設定するスタガードマルチ共鳴管型スピーカー
(57)【要約】      （修正有）【課題】ウェットな状態かつ常温条件下でも保存可能で、弾力性と繊維感のある食感を有し、またベトベトと手につかず素手で扱い易い植物性蛋白質食品を提供する。【解決手段】乾燥粒状植物性蛋白質に有機酸液を吸収させることで、常温での保存が可能で弾力性と繊維感のある食感を有し表面がベトつかない植物性蛋白質食品１。【選択図】図１
0003131934.tif 000002
【実用新案登録請求の範囲】
【請求項１】
乾燥粒状植物性蛋白質に有機酸液を吸収させることによって、弾力性と繊維感のある食感を付与し、ウェットな状態でありながら常温での保存が可能なことを特徴とする植物性蛋白質食品。
【考案の詳細な説明】
【技術分野】
【０００１】  本考案は、有機酸液を吸収させることによって、ウェットな状態で常温保存が出来て弾力性と繊維感のある食感を持つ植物性蛋白質食品に関するものである。
【背景技術】
【０００２】    ウェット状態の植物性蛋白質食品には、生麩などがあった。
【考案の開示】
【考案が解決しようとする課題】
【０００３】  生麩などの植物性蛋白質食品は、ウェットの状態ではチューイングガムやハードグミキャンディの様に噛み応えのある食感を有するが、常温条件下では腐敗しやすく、またベトベトと手に着くので素手で扱いにくかった。
【課題を解決するための手段】
【０００４】  本考案では、乾燥粒状植物性蛋白質に有機酸液を吸収させることで上記課題を解決している。
【考案の効果】
【０００５】  乾燥粒状植物性蛋白質に有機酸液を吸収させて、その粒状植物性蛋白質内部のｐＨを３．５〜４．５の範囲の酸性にした場合、硬すぎず軟らか過ぎずにしっかりと噛む行為が出来るような弾力性と繊維感のある食感となる上、粒状植物性蛋白質の表面の組織を引き締める効果もあるので手にベトつくことも無い。また処理して出来た植物性蛋白質食品のｐＨがｐＨ５未満の場合、常温での腐敗を防ぐことが出来る。
【考案を実施するための最良の形態】
【０００６】  ウェットな状態で常温保存が出来て弾力性と繊維感のある食感を有する植物性蛋白質食品は、乾燥粒状植物性蛋白質に有機酸液を吸収させることで実現した。以下実施例を記すが、本考案はこれらにより限定されるものではない。
【実施例】
【０００７】  乾燥粒状植物性蛋白質１００部に対して酢酸酸度が４．５〜５重量％の食酢７０部を加え、掻き混ぜることで食酢が乾燥粒状植物性蛋白質に斑なく吸収され、弾力性と繊維感のある食感が得られる。【０００８】  また、この時に出来た植物性蛋白質食品のｐＨはｐＨ４．０〜４．５の範囲となり常温保存可能である。食酢が乾燥粒状植物性蛋白質に斑なく吸収された状態を［図１］に示す。【０００９】  乾燥粒状植物性蛋白質の形や大きさは任意であり、また食酢の量を乾燥粒状植物性蛋白質１００部に対して６０〜９０部にしても弾力性と繊維感のある食感が得られる。【００１０】  食酢に換えて５重量％クエン酸水溶液を加えても良い。使用する有機酸はその他にリンゴ酸、酒石酸、乳酸などがあるが、好みの味によって有機酸の種類と濃度を選べば良い。
【産業上の利用可能性】
【００１１】  実施例に記した方法で処理した植物性蛋白質食品はウェットな状態でありながら手にベトつかず常温でも保存可能なので、大豆やピーナッツくらいの大きさの乾燥粒状植物性蛋白質を用いて実施例に記した方法で処理し、［図２］に示す様に小分けして開閉可能な袋や容器に入れれば、間食代わりにテレビを見ながら、あるいはオフィスで仕事中口寂しい時などに気軽に食することが出来る。食している形態を［図３］に示す。【００１２】  乾燥粒状植物性蛋白質は有機酸液の他にも、カルシウム等のミネラル・必須アミノ酸・脂肪の燃焼を補助するアミノ酸・ウコンやキノコ類や野菜のエキス・溶解したコラーゲン等の水溶性物質ばかりではなく、ＤＨＡ・ＥＰＡなどの油溶性物質も吸収させることが出来る。これらの栄養成分を吸収させれば、常温で手軽に食せる栄養のバランスに優れた植物性蛋白質食品を開発することが出来る。【００１３】  また、弾力性と繊維感のある食感は「よく噛む」ことを促し、それにより少しの食事量で満腹感が得られる上に植物性蛋白質は高蛋白質・低脂肪なのでダイエット効果もある。粉末の植物性蛋白質を練りこんだクッキーや水に溶かした飲料として摂取している従来の「噛まない」ダイエット食品とは違うダイエット補助食品を開発できる。
【図面の簡単な説明】
【００１４】
【図１】  本考案の植物性蛋白質食品の実施形態を示す図である。
【図２】  本考案の植物性蛋白質食品を開閉可能で透明な袋に入れた実施形態を示す図である。
【図３】  同実施形態を食している状態を示す図である。
【符号の説明】
【００１５】  １  植物性蛋白質食品
２  開閉可能で透明なスタンディングタイプの袋
３  手
【図１】
0003131934.tif 000003
【図２】
0003131934.tif 000004
【図３】
0003131934.tif 000005
【手続補正書】
【提出日】平成19年2月14日(2007.2.14)
【手続補正１】
【補正対象書類名】実用新案登録請求の範囲
【補正対象項目名】全文
【補正方法】変更
【補正の内容】
【実用新案登録請求の範囲】
【請求項１】
有機酸液を浸潤した粒状植物性蛋白質であることを特徴とする植物性蛋白質食品。
(57)【要約】【課題】従来の鳩の飼育方法では、用途ごとに各種の箱を設置しなければならなかったため、経済的負担も大きく、広いスペースが必要であった。そこで、１つの巣箱に、さまざまな用途に必要な機能を集約して、前述の欠点を解決しようとするものである。【解決手段】多目的箱巣箱本体１に、取り外し可能な右前扉３と左前扉４を設け、穴開き仕切板２ａと穴なし仕切板２ｂを、仕切板差込み口２に差し込んだり取り外したりすることで、多目的な用途に対応可能である。【選択図】図１
0003131936.tif 000002
【実用新案登録請求の範囲】
【請求項１】
取り外し可能な前扉と、２種類の取り外し可能な仕切板（穴開きと穴なし）を設けた鳩用の多目的巣箱。
【考案の詳細な説明】
【技術分野】
【０００１】本考案は、取り外し可能な前扉と仕切板を設けた、鳩用の多目的巣箱である。
【背景技術】
【０００２】従来は、止り木としての使用、交配時、レーステクニックとしての使用など、用途ごとに使用する箱を取り替える必要があった。
【考案の開示】
【考案が解決しようとする課題】
【０００３】用途ごとに各種の箱を設置するには経済的負担も大きく、広いスペースが必要になる。そこで、さまざまな用途に必要な機能を集約することにより、前述の欠点を解決しようとするものである。
【考案を解決するための手段】
【０００４】本考案は、飼育箱に前扉と仕切板を設け、用途によって前扉と仕切板を容易に取り付けたり取り外したりできるため、１つの飼育箱のみで多目的な用途に使用可能となっている。
【考案の効果】
【０００５】上述のように、本考案の飼育箱は前扉と仕切板の取り外しが可能なため、１羽用の止り木としての使用はもちろんのこと、交配用、抱卵用、育ひな用、ウィドーシステム用（レース直前にオスとメスをあえて分離させることで、メスに会いたいというオスの気持ちを高めてより早く帰舎させるという、レーステクニックの一つ）など、多目的な使用ができる。
【考案を実施するための最良の形態】
【０００６】目的に合わせて、両側の前扉と２種類の仕切板を取り付けたり外したりすることで、用途別の使用が可能である。多目的巣箱の本体に穴なし仕切板を差し込むと、１羽用止り木として使用可能。【０００７】本体に前扉と穴開き仕切板を取り付け、左右にそれぞれオスとメスを閉じ込め、頃合を見て仕切板を外すと、交配用に使用可能。【０００８】本体に前扉を片側だけ取り付けると、抱卵用または育ひな用として使用可能。【０００９】本体につがいの鳩を閉じ込め前扉を閉めておき、レース直前に穴開き仕切板を差し込みオス側の前扉を外すと、ウィドーシステム用として使用可能。
【実施例１】
【００１０】図１は、多日的巣箱本体１に右前扉３と左前扉４を取り付けた状態である。これに、穴開き仕切板２ａまたは穴なし仕切板２ｂを、仕切板差込口２に差し込んだり取り外したりして使用をする。
ここでは、１羽用止り木として実施する場合の方法を説明する。【００１１】１羽用止り木として使用するには、図２に示すように、図１の状態から右前扉３と左前扉４を取り外した構成にする。【００１２】図３は、図２の構成に、穴なし仕切板２ａを差し込んだ状態である。この構成にすることで、鳩が左右１羽ずつ止り木として入ることができる。
【実施例２】
【００１３】図４は、交配用として使用する場合の図である。多目的巣箱本体１に、右前扉３と左前扉４を取り付け、穴開き仕切り板２ａを差し込んだ構成にする。ここに、左右１羽ずつオスとメスを閉じ込める。互いに慣れてきたころ、穴開き仕切板２ａを取り外すと、自然につがいにすることができ、交配を行わせることができる。
【実施例３】
【００１４】図５は、抱卵用または育ひな用として使用する場合の図である。多目的巣箱本体１に、左前扉４を取り付けた構成である。この状態で巣皿を入れ、抱卵させ、ひなを育てさせる。これは抱卵システムと呼ばれるレーステクニックであり、レース鳩を、早く粘り強く巣へ帰舎させる効果がある。
【実施例４】
【００１５】図６は、ウィドーシステム用として使用する場合の図である。多目的巣箱本体１に右前扉３と左前扉４を取り付けた構成である。この状態で、オスとメスの鳩を１羽ずつ入れておく。レース直前に穴開き仕切板２ａを差し込み、オスとメスを左右１羽ずつ分けて閉じ込める。そして、オス側の前扉を開け、メスはそのまま閉じ込めておく。これはレーステクニックの一つであり、レースに参加するオスがメスに会いたくて、より早く帰舎するという効果をもたらす。【００１６】実施例１から実施例４で示すように、多目的巣箱本体１に、右前扉３と左前扉４、穴開き仕切板２ａまたは穴なし仕切板２ｂを、取り付けたり取り外したりして構成を変えることで、用途別の使用が可能である。そのため、用途ごとに各種の箱を設置する必要がなく、経済的にもスペース的にも有効である。
【実施例５】
【００１７】図７は、多目的巣箱本体１を重ねた構成である。この状態で、実施例１から実施例４に示した用途に合わせて、右前扉３と左前扉４、穴開き仕切板２ａまたは穴なし仕切板２ｂを取り付けると、多数の鳩を複数の目的で飼育することができる。
【図面の簡単な説明】
【００１８】
【図１】多目的巣箱本体１に、右前扉３と左前扉４を取り付けた状態の正面図である。２ａは穴開き仕切板の図であり、２ｂは穴なし仕切板の図である。
【図２】多目的巣箱本体１から、右前扉３と左前扉４を外した状態の正面図である。
【図３】多目的巣箱本体１に、穴なし仕切板２ｂを取り付けた構成である。１羽用の止り木として使用する場合の図である。
【図４】多目的巣箱本体１に前扉を取り付け、穴開き仕切板２ａを取り付けた構成である。交配用として使用する場合の図である。
【図５】多目的巣箱本体１に、左前扉４のみを取り付けた構成である。抱卵用または育ひな用として使用する場合の図である。
【図６】多目的巣箱本体１に、右前扉３と左前扉４を取り付け、オスとメスの鳩を閉じ込めた状態。レース直前に穴開き仕切板２ａを差し込み、オス側の前扉を取り外して、メスはそのまま閉じ込めておく。レーステクニックとしてのウィドーシステム用に使用する場合の図である。
【図７】多目的巣箱本体１を重ねた図である。
【符号の説明】
【００１９】１多目的巣箱本体
２仕切板差込み口
２ａ穴開き仕切板
２ｂ穴なし仕切板
３右前扉
４左前扉
【図１】
0003131936.tif 000003
【図２】
0003131936.tif 000004
【図３】
0003131936.tif 000005
【図４】
0003131936.tif 000006
【図５】
0003131936.tif 000007
【図６】
0003131936.tif 000008
【図７】
0003131936.tif 000009
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
取り外し可能な前扉、取り外し可能な穴開き仕切板、および取り外し可能な穴なし仕切り板を設けることで、止り木・交配・抱卵・育ひな・ウィドーシステム等の目的に１台で対応できる、鳩用の多目的巣箱。
(57)【要約】      （修正有）【課題】外出先等の水の無い場所での印紙、切手を貼り付ける事の煩わしさや多くの印紙、切手を同時に貼り付ける時の大変さを解決する【解決手段】印紙、切手を貼り付けシールシート型にする台紙と切手を貼り合せ同時に破断用穴を開けた構造にする【選択図】図２
0003131306.tif 000002
【実用新案登録請求の範囲】
【請求項１】
印紙、切手を貼り付けシールシート型にして台紙のシートも簡単に切り取れる切手と同じ破断用の穴を開けた形状にする事を特徴とする貼付け簡単切手
【請求項２】
請求項１の形状を特徴とする、簡単にはがれる台紙のシートと糊付けされた印紙、切手を貼り合せ同時に破断用穴を開ける構造を特徴とする貼付け簡単切手
【請求項３】
請求項１、請求項２を組合せた貼付け簡単切手の考案
【考案の詳細な説明】
【技術分野】
【０００１】新製品開発技術
【背景技術】
【０００２】生産技術＋紙製品加工技術
【考案の開示】
【考案が解決しようとする課題】
【０００３】外出先等の水の無い場所での印紙、切手を貼り付ける事の煩わしさの解決
多くの印紙、切手を同時に貼り付ける時の大変さの解決
【課題を解決するための手段】
【０００４】印紙、切手を貼り付けシールシート型にする
台紙と切手を貼り合せ同時に破断用穴を開けた構造にする
【図面の簡単な説明】
【０００５】
【図１】〔平面図〕台紙のシート同時に破断用の穴を開けた状態を示す
【図２】〔側面図〕台紙のシールと切手に糊付けして貼り合せて、破断用の穴を開けた状態を示す
【図１】
0003131306.tif 000003
【図２】
0003131306.tif 000004
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
印紙、切手を貼り付けシールシート型にして台紙のシートも簡単に切り取れる切手と同じ破断用の穴を開けた形状にする事を特徴とする貼付け簡単切手
【請求項２】
貼り付けシールシート型であることを特徴とする請求項１に記載の印紙、切手の構造を特徴とする貼付け簡単切手
【請求項３】
請求項１または請求項２記載の貼付け簡単切手の考案
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
印紙、切手を貼り付けシールシート型にして台紙のシートも簡単に切り取れる切手と同じ破断用の穴を開けた形状にする事を特徴とする貼付け簡単切手
【請求項２】
貼り付けシールシート型であることを特徴とする請求項１に記載の貼付け簡単切手
(57)【要約】      （修正有）【課題】卓球ボールの継ぎ目をなくして真円に近づける、卓球用ピン球を提供する。【解決手段】治具１を回転台１０に乗せ、回転台１１で押さえ、電動機９で回転させ、多方向に転がらせセルローズ液のアルコールを高速回転させフィルター材を通してアルコールを放出して球形の卓球用ピン球を成形する。【選択図】図３
0003131302.tif 000002
【実用新案登録請求の範囲】
【請求項１】
継ぎ目なし治具
【請求項２】
遠心分離（アルコール液とセルローズ液）卓球ピン球の製造機
【考案の詳細な説明】
【考案の詳細な説明】
【産業上の利用分野】
【０００１】本考案は卓球の試合上、縫ぎ目なし球は真円に完成され正確な方向の球が飛ぶ。
【背景技術】
【０００２】従来の技術においてはセルロース材を半球形を合わせ、２個の半球形で接合して出来ている。
【考案が解決しようとする課題】
【０００３】本考案は卓球ボールの継ぎ目をなくして真円に近づける、卓球用ピン球に対応。
【０００４】考案は  図１に示す  １は金属半球湾形と  ２の湾形でこの３のフィルター材とで４のフィルター湾形材をはめ込み、５のセルローズ液を入れ  図２に示すように７のネジでフィルター材を締めつけた構造。
【実施例】
【０００５】以下、本考案の構成を図面に示す実施例に基づいて詳細に説明する。【０００６】  図１の治具を図３のように治具を回転台１０に乗せ、回転台１１で押さえ、電動機９で回転させ、多方向に転がらせセルローズ液のアルコールを高速回転させフィルター材を通してアルコールを放出して球形の卓球用ピン球を成形する。【０００７】上述の実施例は本考案の好適な実施の一例ではあるが、これに限定されるものではなく本考案の要旨を逸脱しない範囲においては種々変形の実施も可能である。
【考案の効果】
【０００８】卓球用ピン球の破損した球を再生（リサイクル）出来る。継ぎ目なしで真円に近い卓球用ピン球が出来る。より良い正確な卓球が出来る。
誤差の少ない卓球試合が可能となる。
【図面の簡単な説明】
【０００９】
【図１】  本考案  球形湾型治具の側面図
【図２】  本考案  球形湾型治具の断面図
【図３】  本考案  ピン球製造機の側面図
【図４】  本考案  ピン球製造機の平面図
【符号の説明】
【００１０】  １→  金属湾型治具の半形断面
２→  金属湾型治具の半形断面
３→  フィルター材湾形の半形断面
４→  フィルター材湾形の半形断面
５→  セルローズ液
６→  通気孔
７→  ネジ部
８→  架台
９→  電動機
１０→  回転台
１１→  回転台
１２→  送風機
１３→  軸受
１４→  電気コード
１５→  バネ
１６→  歯車
【図１】
0003131302.tif 000003
【図２】
0003131302.tif 000004
【図３】
0003131302.tif 000005
【図４】
0003131302.tif 000006
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
球形湾型の治具（アルコルを放出するフィルタ材）２個をネジ止めして合わせて、その中にセルロイド液を入れ回転機で回転させて遠心分離してアルコル液だけ放出しピン球が仕上がる卓球ピン球の治具。
【手続補正書】
【提出日】平成19年1月5日(2007.1.5)
【手続補正１】
【補正対象書類名】実用新案登録請求の範囲
【補正対象項目名】全文
【補正方法】変更
【補正の内容】
【実用新案登録請求の範囲】
【請求項１】
球形湾型の治具２個をネジ止めして合わせて、その中にフイルター３を入れその中にセルロイド液を入れ回転機で回転させて遠心分離してアルコル液だけ放出しピン球が仕上がる卓球ピン球の治具。
(57)【要約】      （修正有）【課題】箱内の物品収用数の外見把握及び保管スペースの縮小が可能である収納箱を提供する。【解決手段】箱を内箱と外箱の二重構造で作成し外箱の６面体の１面は欠落させ塞がないで形成する。内箱は最小収縮幅を確保し底部のみ外箱の長さで形成し外箱に挿入する。内容物の減少時、側面より内箱を一方向へ押圧して内容物を移動させながら内箱を外箱の中に押し込んでいく。この時、外箱長に形成した内箱底部がレ−ル上の運搬車のように内容物を乗せた状態で移動する。移動すると内箱底部が押圧の反対側の外箱底部の穴部に出てくるので出た部分を逐次切断する。内箱は外箱の中に入って行き外箱枠が内箱の外へ突出る形になるのでこれを逐次切断し収縮した箱を作る。切断は安易にできるようカット用切り込み等を入れておけばよい。内箱の長い底部は内箱が外箱から脱落するのを防止する役割を担う。【選択図】図１
0003131308.tif 000002
【実用新案登録請求の範囲】
【請求項１】
箱は内容物の減少にかかわらず同じサイズを保っており保管スペ−スに変化は無く、また、内容物の減少状況は外見上不明である。本考案は箱の大小にかかわらず内容物の減少に伴い箱サイズを逐次縮小させて内容物の現状を使用者に知らせるとともに保管スペ−スの縮小を図るための収縮箱。
【考案の詳細な説明】
【技術分野】
【０００１】  箱を内箱と外箱に区分して形成し内容物の減少に伴い内箱を外箱内に押し込み縮小させ、余分となった部分を切断などして逐次箱サイズを縮小させていく収縮箱に関するものである。
【背景技術】
【０００２】  紙箱、ダンボ−ル箱、木箱、プラスチック箱、金属製箱など物を入れて運搬するための箱から物品保管用の箱またその両者の箱まで用途は広く製造方法も多種多様である。しかし出来上がりは何の変哲もない箱である。これを内箱と外箱の二重構造として収縮対応としたものである。
【考案の開示】
【考案が解決しようとする課題】
【０００３】  箱は内容物の減少にかかわらず同じサイズを保っており保管スペ−スに変化は無く、また、内容物の減少状況は外見上不明である。この両者の問題を解決したい。
【課題を解決するための手段】
【０００４】  箱を内箱と外箱の二重構造で外箱の６面体の１面は欠落させ塞がない状態で作成し、そこへ内箱を挿入する。内箱サイズは最小収縮幅とし底部のみ当初の外箱サイズを確保して形成する。内容物の減少時、内箱側面より一方向へ押圧して内容物を移動させながら内箱を外箱の中に押し込んでいく、突出して不用となった内箱底部及び外箱枠部を逐次切断等して箱を収縮させるものである。
【考案の効果】
【０００５】  上述のように、箱内の物品収用数の外見把握及び保管スペ−スの縮小が可能である。
【考案を実施するための最良の形態】
【０００６】  本考案の実施形態を説明する。箱内内容物の減少時内箱を側面より押圧して縮小させていくが、この場合内容物が容易に移動しなければならない。このため外箱の底部の長さだけ内箱に底部を設け、底部をレ−ル上の運搬車のように押圧と同時に内容物を載せて移動することで解決させた。内箱底部は内箱が外箱から脱落するのを防止する役割を担う。移動し外箱より突出た内箱の底部は逐次切断し、内箱が外箱へ入り込み突出た外箱枠の余分な部分を逐次切断すれば収縮箱となる。
【実施例１】
【０００７】  以下、添付図面に従って一実施例を説明する。図１は内箱と外箱の組み立て斜視図である。外箱は６面体の１面を塞がないで形成する。内箱は最小収縮幅に枠作りし底部を外箱長に形成したものを外箱に挿入する。内箱側面から押圧すると内箱は外箱の中に移動していく。内箱底部はレ−ル上の運搬車のように内容物を乗せた状態で移動する。内箱底部が移動すると押圧の反対側の外箱底部の穴部に出てくるので出た部分を逐次切断する。押圧すると内箱は外箱の中に入って行き外箱枠が内箱の外へ突出す形になるのでこれを逐次切断し収縮した箱を作る。切断は安易にできるようカット用切り込み等を入れておけばよい。箱上部に物品取り出し口を形成する。図２は内箱の組み立て斜視図である。箱は最小収縮幅を確保して形成し突き当たりで収縮終了とする。底部は外箱の箱長を確保し上部の物品取り出し口は塞がないで形成する。
【実施例２】
【０００８】  縮小のため不要となった部分を切断せず繰り返し使用可能とした収縮箱。
【実施例３】  内箱の移動を容易にするため内箱底部と外箱底部の間にレ−ルまたはベアリング等を挿入した収縮箱。
【図面の簡単な説明】
【０００９】
【図１】内箱と外箱の組み立て斜視図である。
【図２】内箱の組み立て斜視図である。
【符号の説明】
【００１０】    １  外箱
２  内箱
３  内箱底部
４  外箱底部の穴
５  押圧方向
【図１】
0003131308.tif 000003
【図２】
0003131308.tif 000004
【手続補正書】
【提出日】平成18年10月13日(2006.10.13)
【手続補正１】
【補正対象書類名】実用新案登録請求の範囲
【補正対象項目名】全文
【補正方法】変更
【補正の内容】
【実用新案登録請求の範囲】
【請求項１】
本考案は箱の大小にかかわらず内容物の減少に伴い箱サイズを逐次縮小させて内容物の現状を使用者に知らせるとともに保管スペースの縮小を図るための収縮箱。
【手続補正２】
【補正対象書類名】明細書
【補正対象項目名】０００９
【補正方法】変更
【補正の内容】
【０００９】
【図１】内箱と外箱の構成斜視図である。
【図２】内箱の構成斜視図である。
【図３】収縮時の外箱の一部及び内箱底部の一部の切り離し構成斜視図である。
【図４】最小収縮時の構成斜視図である。
【手続補正３】
【補正対象書類名】明細書
【補正対象項目名】００１０
【補正方法】変更
【補正の内容】
【００１０】    １  外箱
２  内箱
３  外箱開閉部
４  内箱底部
５  外箱底部の穴（内箱底部が出てくる穴）
６  外箱押圧方向
７  外箱の一部切り離し片
８  内箱低部の一部の切り離し片
【手続補正４】
【補正対象書類名】図面
【補正対象項目名】全図
【補正方法】変更
【補正の内容】
【図１】
0003131308.tif 000005
【図２】
0003131308.tif 000006
【図３】
0003131308.tif 000007
【図４】
0003131308.tif 000008
【手続補正書】
【提出日】平成19年1月26日(2007.1.26)
【手続補正１】
【補正対象書類名】実用新案登録請求の範囲
【補正対象項目名】全文
【補正方法】変更
【補正の内容】
【実用新案登録請求の範囲】
【請求項１】
６面体の箱で外箱と内箱の二重構造で形成されたものを基箱とし、外箱は側部の一面を欠落させて塞がず反対側側面底部に内箱底部が突き出るよう平面的な穴部を設けて形成し、内箱は先端側面を欠落させ底部を外箱長としそれ以外の枠は最小縮小幅に形成し、底部に収用物品を乗せて外箱の中へ挿入した形態とし、使用に当たっては収用物品の減少時に物品の減少した分を外箱の塞がない側面から内箱を中へ押し込み収縮させ、内箱枠より突き出て不用となった外箱枠部及び外箱反対側面底部から突き出した内箱底部の先端部分を切り取りながら順次箱を収縮させていくことを特徴とする収縮箱。
(57)【要約】      （修正有）【課題】森林破壊や木材資源の減少から、繰り返し使用可能なプラスチック製箸の需要が高まりつつある。一方、繰り返し使用による微生物汚染を軽減するため、抗菌剤を使用した箸の開発が行われている。しかしながら、消費者の安全意識の高まりから、食器への合成抗菌剤等の使用は敬遠される傾向にあり、十分に流通していないのが現状である。【解決手段】天然物由来の抗菌物質であるキトサンをプラスチック製箸の原料に添加することで、箸に抗菌性を付与する。【選択図】図２
0003131301.tif 000002
【実用新案登録請求の範囲】
【請求項１】
抗菌効果を付与した箸
【考案の詳細な説明】
【技術分野】
【０００１】  本考案は、従来のプラスチック製の箸の製造原料にキトサンを加えることによって、抗菌効果を付与した箸に関するものである。
【背景技術】
【０００２】  現在、日本国内では木材やプラスチックを素材とした箸が数多く流通している。しかしながら、木材を原料とする割り箸は森林破壊や木材資源の減少に深刻な影響を与えており、繰り返し使用可能なプラスチック製の箸の需要が伸びている。【０００３】  また、箸は食品を扱い、人間の口に触れるものであるため、微生物汚染等の衛生面には注意を払う必要がある。そこで、箸に抗菌効果を付与するため、酸化亜鉛や銀、化学合成品の抗菌剤を添加もしくは塗布した箸が開発されている。【０００４】  一方、食品由来の抗菌物質としてキトサンが注目され、繊維や医薬品等、幅広い分野へ応用されている。特に、天然物由来の安全性に着目され、食品への添加も行われている。
【考案の開示】
【考案が解決しようとする課題】
【０００５】  森林破壊や木材資源の減少から、繰り返し使用可能なプラスチック製箸の需要が高まりつつある。一方、繰り返し使用による微生物汚染を軽減するため、抗菌剤を使用した箸の開発が行われている。しかしながら、消費者の安全意識の高まりから、食器への合成抗菌剤等の使用は敬遠される傾向にあり、十分に流通していないのが現状である。【０００６】  本考案は、上述した問題を解決するためになされたものであり、プラスチック製箸の原料に天然物由来の抗菌物質であるキトサンを添加することにより、抗菌効果を付与した繰り返し使用可能なプラスチック製箸を提供することを目的としている。
【課題を解決するための手段】
【０００７】  この目的を達成するために請求項１記載の抗菌効果を付与した箸においては、プラスチック製箸の原料に天然の抗菌物質であるキトサンを添加することにより、プラスチック製箸本体に抗菌効果を付与することである。
【考案の効果】
【０００８】  請求項１記載の抗菌効果を付与した箸によれば、プラスチック製箸の原料に天然物由来の抗菌物質であるキトサンを添加している。よってプラスチック製箸本体に抗菌性を付与する効果がある。したがって、天然物由来の抗菌物質であるキトサンを添加することにより、衛生面に優れた繰り返し使用可能なプラスチック製箸を得ることができる。
【考案を実施するための最良の工程】
【０００９】  以下、本考案の好ましい実施例について、添付図面を参照して説明する。プラスチック製箸の原料に添加されるキトサンは食品等に用いられる抗菌性を有するものであれば良い。好ましくは、分子量１０，０００以下に低分子化されたキトサンとする。
【００１０】  プラスチック製箸の原料にキトサンを添加する際は、使用するキトサンの抗菌性にあわせた濃度で添加すればよい。好ましくは、プラスチック製箸の原料に対するキトサンの重量比添加量を０．５〜１０％とする。
【００１１】  キトサンを添加したプラスチック製箸の原料は、従来のプラスチック製箸の製法で加工可能である。
【００１２】  箸の形状として、通常の形状（図１ａ）の他、表面に滑り止め処理（図２ａ）を施したものでも抗菌効果が有用である。
【図面の簡単な説明】
【００１３】
【図１】本考案に係る箸の形状。
【図２】本考案に係る箸の形状。
【図１】
0003131301.tif 000003
【図２】
0003131301.tif 000004
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
箸の材質に天然の抗菌物質であるキトサンを添加し、従来の箸と同様の形状もしくは箸の先端部分に滑り止め加工を施した抗菌効果を有する箸
【手続補正２】
【補正対象書類名】明細書
【補正対象項目名】００１２
【補正方法】変更
【補正の内容】
【００１２】  箸の形状として、通常の形状（図１ａ）の他、表面に滑り止め処理（図２ａ及び図２ｂ）を施したものでも抗菌効果が有用である。
【手続補正３】
【補正対象書類名】図面
【補正対象項目名】図２
【補正方法】変更
【補正の内容】
【図２】
0003131301.tif 000005
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
箸の材質に天然の抗菌物質であるキトサンを添加した後に成型した抗菌効果を有する箸、もしくは箸の材質に天然の抗菌物質であるキトサンを添加した後、箸の先端部分に滑り止め加工を施し成型した抗菌効果を有する箸
(57)【要約】【課題】ブレーキとアクセルの踏み間違えの悲惨な事故防止【解決手段】アクセルを支えるアームにブレーキを支えるアームと連結可能な形状を有するロックアームの付加速度制限機能付車両のリミッター機能を利用して、リミッターが作動するとアクセルとブレーキを連結ロックする構造の組合わせクラッチに採用されているオーバートップのポジションで連結ロックを解除する構造の組み込み【選択図】図２
0003131305.tif 000002
【実用新案登録請求の範囲】
【請求項１】
アクセルを支えるアームにブレーキを支えるアームと連結可能な形状を有するロックアームを付加した自動車のドライブ・システム
【請求項２】
速度制限機能付車両のリミッター機能を利用して、リミッターが作動すると請求項１のロックアームが作動しアクセルとブレーキを連結ロックする構造を有する自動車のドライブ・システム
【請求項３】
請求項２の構造を利用して、クラッチに採用されているオーバートップのポジションで連結ロックを解除する構造を特徴とする自動車のドライブ・システム
【請求項４】
請求項１、請求項２、請求項３を組合せたアクセルをブレーキと踏み間違えてもブレーキがかかるブレーキ／アクセル踏み間違えカバー型ドライブ・システムの考案
【考案の詳細な説明】
【技術分野】
【０００１】新製品開発技術
【背景技術】
【０００２】生産技術＋機械設計技術＋電子制御技術＋システム開発技術
【考案の開示】
【考案が解決しようとする課題】
【０００３】ブレーキとアクセルの踏み間違えの悲惨な事故防止
【課題を解決するための手段】
【０００４】アクセルを支えるアームにブレーキを支えるアームと連結可能な形状を有するロックアームの付加
速度制限機能付車両のリミッター機能を利用して、リミッターが作動するとアクセルとブレーキを連結ロックする構造の組合わせ
クラッチに採用されているオーバートップのポジションで連結ロックを解除する構造の組み込み
【図面の簡単な説明】
【０００５】
【図１】〔平面図１〕クラッチがノーマルのポジションに位置する時は、アクセルとブレーキはロックアームによる連結のない事を示す  スピードが制限速度に達した時に速度制限機能のリミッターをＯＮし、ロックアームがスライドしてアクセルとブレーキが連結ロックされる事を示す
【図２】〔平面図２〕クラッチをオーバートップにシフトすると速度制限機能のリミッターで連結ロックされたアクセルとブレーキは再び解除され制限速度以上の車両の持つ性能の範囲での速度まで上げる事が出来る事を示す
【図３】〔側面図１〕速度制限機能用リミッターが働いていない状態でロックアームが連結されていない状態を示す
【図４】〔側面図２〕速度制限機能用リミッターが働いている状態でロックアームが連結されている状態を示す
【図１】
0003131305.tif 000003
【図２】
0003131305.tif 000004
【図３】
0003131305.tif 000005
【図４】
0003131305.tif 000006
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
アクセルを支えるアームにブレーキを支えるアームと連結可能なロックアームを付加した形状を有する自動車用アクセル／ブレーキ踏み間違え事故防止ブレーキ
【請求項２】
速度制限機能付車両のリミッター機能を利用して、リミッターが作動すると請求項１のロックアームが作動しアクセルとブレーキを連結ロックする構造を有する自動車用アクセル／ブレーキ踏み間違え事故防止ブレーキ
【請求項３】
請求項２の構造を利用して、クラッチに採用されているオーバートップのポジションで連結ロックを解除する構造を特徴とする自動車用アクセル／ブレーキ踏み間違え事故防止ブレーキ
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
アクセルを支えるアームにブレーキを支えるアームと連結可能なロックアームを付加した
形状を有する自動車用アクセル／ブレーキ踏み間違え事故防止ブレーキ
【請求項２】
速度制限機能付車両のリミッター機能を利用して、リミッターが作動するとロックアームが作動しアクセルとブレーキを連結ロックする構造であることを
特徴とする請求項１に記載の自動車用アクセル／ブレーキ踏み間違え事故防止ブレーキ
【請求項３】
クラッチに採用されているオーバートップのポジションで連結ロックを解除する構造であることを
特徴とする請求項１に記載の自動車用アクセル／ブレーキ踏み間違え事故防止ブレーキ
(57)【要約】      （修正有）【課題】外出の際は多数のメモ用紙、または筆談ボード等を携帯しなければならないが、携帯に便利なよう面積を小さくすれば書きにくく、書き易く面積を大きくすれば携帯に不便である。また、筆記用のペン等も、置き忘れや紛失するのが問題であった。【解決手段】筆記面はホワイトボード１で二つ折り手帳形とすれば、収納面積の２倍以上の筆記面積を確保できる。また、ホワイトボードペン２、ホワイトボード消し３はそれぞれを紐５で繋ぎ止め、紛失しないようホワイトボード本体収納する。【選択図】図２
0003131307.tif 000002
【実用新案登録請求の範囲】
【請求項１】
小さく折りたたむことができるホワイトボードに、ホワイトボードペンおよびホワイトボード消しが収納できる、携帯筆談用具。
【考案の詳細な説明】
【技術分野】
【０００１】  聴力障害者と介助者が外出先に於いても、快適なコミュニケーションが取れるよう、筆談に必要なすべてのものを携帯に便利なよう小さく収納した、筆記用具に関するものである。
【背景技術】
【０００２】  従来の方法は、手帳またはメモ用紙等とペンを用いる、特筆すべき技術もないものであった。
【考案の開示】
【考案が解決しようとする課題】
【０００３】  外出の際は多数のメモ用紙、または筆談ボード等を携帯しなければならないが、携帯に便利なよう面積を小さくすれば書きにくく、書き易く面積を大きくすれば携帯に不便である。また、筆記用のペン等も置き忘れや紛失するのが問題であった。
【課題を解決するための手段】
【０００４】  筆記面はホワイトボードで二つ折り手帳形とすれば、収納面積の２倍以上の筆記面積を確保できる。また、ホワイトボードペン、ホワイトボード消しはそれぞれを紐で繋ぎ止め、紛失しないようホワイトボード本体に設けたホルダーにより収納する。
【考案の効果】
【０００５】  聴力障害者や加齢で聴力が低下した人が外出先に於いても、不特定の介助者と容易にコミュニケーションを取ることができる。
【図面の簡単な説明】
【０００６】
【図１】  ホワイトボードに付属部品（ホワイトボードペン、ホワイトボード消し）が収納された状態。
【図２】  筆談のため使用するために開いたときの形状。
【符号の説明】
▲１▼  ホワイトボード
▲２▼  ホワイトボードペン
▲３▼  ホワイトボード消し
▲４▼  ホルダー
▲５▼  紐
【図１】
0003131307.tif 000003
【図２】
0003131307.tif 000004
【手続補正書】
【提出日】平成18年10月20日(2006.10.20)
【手続補正１】
【補正対象書類名】実用新案登録請求の範囲
【補正対象項目名】全文
【補正方法】変更
【補正の内容】
【実用新案登録請求の範囲】
【請求項１】
携帯に便利なように、小さく二つに折りたたむことができるホワイトボードを、手帳の形状をした表裏二枚の表紙の内側に貼り付ける。
また、筆記に使用するホワイトボードペン及びホワイトボード消しは、紛失を防止するためにそれらを紐で繋ぎ止め、前述の表紙の内側に設けたホルダーに収納し、一体として持ち運び又は保管することができる、携帯筆談用具。
【手続補正書】
【提出日】平成19年1月22日(2007.1.22)
【手続補正１】
【補正対象書類名】実用新案登録請求の範囲
【補正対象項目名】全文
【補正方法】変更
【補正の内容】
【実用新案登録請求の範囲】
【請求項１】
携帯に便利なように、小さく二つに折りたたむことができるホワイトボードを、手帳の形状をした表裏二枚の表紙の内側に取り付けた筆記面と、筆記及び消去に使用するホワイトボードペン、ホワイトボード消し、紛失防止のためにそれらを繋ぎ止め収納する、紐及びホルダーから構成される携帯筆談用具。